(57)【要約】      （修正有）【課題】観察角度を変えることによって複数の潜像が視認できる画像形成体において、ルーペ等で拡大して観察した際に有意情報が視認できるといった更なる偽造防止効果を備えた複数潜像を有する画像形成体を提供する。【解決手段】基材２’上の少なくとも一部に、基材２’を傾けた際に視認できる複数の潜像模様が形成された画像領域３’を有し、画像領域３’は、互いに異なる方向に配列される凹及び／又は凸形状の第ｎの微細画線群（ｎは２以上の自然数）から成り、第ｎの微細画線群は、同一の方向性を持って配列される凹及び／又は凸形状の断面形状の異なる複数の第ｎの潜像微細画線と第ｎの背景微細画線により第ｎの潜像模様を形成し、第１〜第ｎの微細画線群によって少なくとも一つ以上の有意情報１６が形成している。【選択図】図１１
2020157508.tif 000002
【特許請求の範囲】
【請求項１】
基材上の少なくとも一部に、前記基材を傾けた際に視認できる複数の潜像模様が形成された画像領域を有し、前記画像領域は、互いに異なる方向に配列される凹及び／又は凸形状の第１の微細画線群、第２の微細画線群、・・・、第ｎの微細画線群（ｎは２以上の自然数）から成り、前記第１の微細画線群は、同一の方向性を持って配列される凹及び／又は凸形状の断面形状の異なる複数の第１の潜像微細画線と第１の背景微細画線により第１の潜像模様を形成し、前記第２の微細画線群は、同一の方向性を持って配列される凹及び／又は凸形状の断面形状の異なる複数の第２の潜像微細画線と第２の背景微細画線により第２の潜像模様を形成し、前記第ｎの微細画線群は、同一の方向性を持って配列される凹及び／又は凸形状の断面形状の異なる複数の第ｎの潜像微細画線と第ｎの背景微細画線により第ｎの潜像模様を形成し、前記第１〜ｎの微細画線群によって少なくとも一つの有意情報が形成されたことを特徴とする複数潜像を有する画像形成体。
【請求項２】
前記第１〜ｎの潜像微細画線及び前記第１〜ｎの背景微細画線の幅が５μｍ〜５００μｍ、凹形状の深さ及び／又は凸形状の高さが０．５μｍ〜５００μｍであることを特徴とする請求項１記載の複数潜像を有する画像形成体。
【請求項３】
前記画像領域に前記有意情報が複数形成され、前記有意情報の少なくとも一つが、配置角度、配置される位相又は形状のいずれかが異なることを特徴とする請求項１又は２記載の複数潜像を有する画像形成体。
【発明の詳細な説明】
【技術分野】
【０００１】
本発明は、光反射性又は光透過性基材を用いた複数潜像を有する画像形成体に関する。特に、銀行券、硬貨、メダル、株券、有価証券、通行券、パスポート、商品券、カード等の偽造や複写を防止する必要性のある貴重製品に適用される。
【背景技術】
【０００２】
セキュリティ製品における真偽判別は、基材の表面に回折格子やホログラムを記録したシール等の貼付又は埋め込み等により、その真正性の保証をしている。しばらく、これらはセキュリティ製品の真贋を判別するのに有効であったが、この技術は回折光による視覚効果によるものであるため、近年の微細構造の解析技術の向上や微細加工技術の普及に伴い偽造防止効果が低下しつつある。
【０００３】
一方、近頃は偽造や模造に対する防止効果が高いとされる、回折格子の断面形状にブレーズド格子を利用することが種々提案されている。この技術は鋸歯状断面の各表面で反射が起こるため、技術的に偽造や模造が困難で、偽造品や類似品に対しても有効であり、一般的な技術で施された回折格子やホログラムに比べて高い精度で判別することができる。その一例として、回折格子の配置により、表示画像を構成する回折格子パターンにおいて、少なくとも一部分の回折格子が左右対称でない断面形状であるブレーズド格子を含む物品が提案されている（例えば、特許文献１参照）。
【０００４】
また、本出願人は、光反射性層の上に積層された光透過性層に、深度を変化させた線群又は点群の深度を背景部と潜像部とで変化させ、真上から観察した際には深い部分は暗くなり、潜像が観察され、また、傾けた際には深い部分の反射面積が大きくなることで明るくなり、コントラストの差によって潜像が観察される画像形成体を提案している（例えば、特許文献２参照）。
【０００５】
また、本出願人は、基材にエンボス加工又は凹版印刷による凸部を形成し、その凸部の断面形状の一部を変形させることで、凸部の画線に当たる光の反射状態により生じる明暗の差による潜像を特定の方向のみから視認する、印刷又は表示画像の作製方法及び該作製方法により作製された画像表示体を提案している（例えば、特許文献３参照）。
【０００６】
さらに、本出願人は、同一の方向性を有する凹及び／又は凸形状の画線の断面形状の傾斜角度を変化させることで複数の潜像模様を形成し、正反射光下で観察すると凹及び／又は凸形状の画線の断面形状の傾斜角度の違いにより、凹及び／又は凸形状の画線に当たる光の反射状態により生じる明暗の差で複数の潜像模様が視認できる複数潜像を有する画像形成体を提案している。（例えば、特許文献４参照）
【先行技術文献】
【特許文献】
【０００７】
【特許文献１】特許第４７７４６８７号公報
【特許文献２】特許第４６０４２０６号公報
【特許文献３】特許第３７１８７４２号公報
【特許文献４】特許第５９７５２５６号公報
【発明の概要】
【発明が解決しようとする課題】
【０００８】
しかしながら、特許文献１の技術は、２種類のブレーズド格子を用いるか、又は２種類のブレーズド格子を複数組用いて、２種類の絵柄や文字を表現するものであり、限られた情報パターンの表現しかできないという課題があった。
【０００９】
また、特許文献２の技術は、潜像を付与するために深度差をつける必要があり、鮮明な潜像を付与するためには深度を相当深くする必要があるため、基材の強度が低下するという課題があった。また、潜像の観察についても、正対での観察は濃度差があるものの、複数の潜像が同時に観察されるため視認性が著しく低下することになるし、また、傾けた際の反射光による観察においても同様に視認性が低下するという課題があった。
【００１０】
また、特許文献３の技術は、基材にエンボス加工又は凹版印刷による凸部の形成、その凸部の断面形状を変形させることで反射光の明暗差を生じさせ潜像を視認するものであるが、潜像が単体でしか付与できないという課題があった。
【００１１】
さらに、特許文献４の技術は、特許文献１から特許文献３までの課題を解決することを目的とした技術であり、基材の強度を低下させることなく複数の潜像を形成することができるものの、あくまで複数の潜像画像が切り替わって視認されるものであり、偽造防止効果が向上するものではなかった。
【課題を解決するための手段】
【００１２】
上記課題を解決するために、基材上の少なくとも一部に、基材を傾けた際に視認できる複数の潜像模様が形成された画像領域を有し、画像領域は、互いに異なる方向に配列される凹及び／又は凸形状の第１の微細画線群、第２の微細画線群、・・・、第ｎの微細画線群（ｎは２以上の自然数）から成り、第１の微細画線群は、同一の方向性を持って配列される凹及び／又は凸形状の断面形状の異なる複数の第１の潜像微細画線と第１の背景微細画線により第１の潜像模様を形成し、第２の微細画線群は、同一の方向性を持って配列される凹及び／又は凸形状の断面形状の異なる複数の第２の潜像微細画線と第２の背景微細画線により第２の潜像模様を形成し、第ｎの微細画線群は、同一の方向性を持って配列される凹及び／又は凸形状の断面形状の異なる複数の第ｎの潜像微細画線と第ｎの背景微細画線により第ｎの潜像模様を形成し、第１〜ｎの微細画線群によって少なくとも一つの有意情報が形成された複数潜像を有する画像形成体とした。
【００１３】
また、第１〜ｎの潜像微細画線及び第１〜ｎの背景微細画線の幅が５μｍ〜５００μｍ、凹形状の深さ及び／又は凸形状の高さが０．５μｍ〜５００μｍである複数潜像を有する画像形成体とした。
【００１４】
さらに、画像領域に有意情報が複数形成され、有意情報の少なくとも一つが、配置角度、配置される位相又は形状のいずれかが異なる複数潜像を有する画像形成体とした。
【発明の効果】
【００１５】
本発明の複数潜像を有する画像形成体は、基材の強度を低下させることなく複数の潜像模様が形成できることに加え、潜像を形成する画線をルーペ等の拡大鏡にて観察すると有意情報が視認できるという効果を奏する。
【００１６】
また、本発明の複数潜像を有する画像形成体は、有意情報の中に配置角度や位相、形状の異なるものを含むことで、更なる偽造防止効果を付与することができるといった効果を奏する。
【００１７】
さらに、本発明の複数潜像を有する画像形成体は、画線の形状としては凹又は凸形状のどちらでもよく、加えて、潜像模様を形成するための画線の配列状態が同一の方向性を有していればよいので画線構成に限定されることがなく、自由度の高い画線を設計することができるという効果を奏する。
【図面の簡単な説明】
【００１８】
【図１】本発明における画像形成体の構成を示す概略図
【図２】画像形成体における第１の画線群の構成を示す概略図
【図３】画像形成体における第１の潜像微細画線と第１の背景微細画線の配置を示す概略図
【図４】画像形成体における第１の潜像微細画線と第１の背景微細画線の断面形状を示す概略図
【図５】画像形成体における第１の画線群の効果を示す図
【図６】画像形成体における第２の画線群の構成を示す概略図
【図７】画像形成体における第２の潜像微細画線と第２の背景微細画線の配置を示す概略図
【図８】画像形成体における第２の潜像微細画線と第２の背景微細画線の断面形状を示す概略図
【図９】画像形成体における第２の画線群の効果を示す図
【図１０】画像形成体の効果を示す図
【図１１】実施の形態１における画像形成体の構成を示す概略図
【図１２】実施の形態１における第１の画線群の構成を示す概略図
【図１３】実施の形態１における画像形成体の第１の潜像微細画線と第１の背景微細画線の配置を示す概略図
【図１４】実施の形態１における画像形成体の第１の潜像微細画線と第１の背景微細画線の断面形状を示す概略図
【図１５】実施の形態１における第２の画線群の構成を示す概略図
【図１６】実施の形態１における画像形成体の第２の潜像微細画線と第２の背景微細画線の配置を示す概略図
【図１７】実施の形態１における画像形成体の第２の潜像微細画線と第２の背景微細画線の断面形状を示す概略図
【図１８】実施の形態１における画像形成体の効果を示す図
【図１９】実施の形態１における画像形成体の別の例を示す図
【図２０】実施の形態１における有意情報の別の形成例を示す図
【図２１】実施の形態２における有意情報の形成例と画線群の配置を示す概略図
【図２２】実施の形態２における有意情報の向きを変化させた画線群の配置を示す概略図
【図２３】実施の形態２における有意情報の位相を変化させた画線群の配置を示す概略図
【図２４】実施の形態２における有意情報の一部形態を変化させた画線群の配置を示す概略図
【図２５】実施の形態２における有意情報の形態を変化させた画線群の配置を示す概略図
【発明を実施するための形態】
【００１９】
本発明を実施するための形態について、図面を参照しながら説明する。しかしながら、本発明は以下に述べる発明を実施するための形態に限定されるものではなく、特許請求の範囲に記載されている技術の範囲内であれば、その他様々な実施の形態が含まれる。なお、全ての図面を通じて、同様の機能となる構成要素には同一の符号を付している。また、重複する説明は省略している。本明細書では凹形状画線を用いて説明するが、当然、凸形状画線についても同様である。
【００２０】
本発明の基本となる構成及び原理は特許文献４の技術と同様であることから、それらについて簡単に説明する。
【００２１】
図１（ａ）に特許文献４の技術に記載される一つの複数潜像を有する画像形成体（１）を示す。複数潜像を有する画像形成体（１）は、基材（２）上の少なくとも一部の領域に、複数の潜像模様が形成された画像領域（３）を備えている。
【００２２】
画像領域（３）は、図１（ｂ）に示す第１の微細画線群（４）と、図１（ｃ）に示す第２の微細画線群（５）から成り、第１の微細画線群（４）と第２の微細画線群（５）は異なる方向に配置される。
【００２３】
ここで、第１の微細画線群（４）について、図２を用いて説明する。図２（ａ）は第１の微細画線群（４）を示した図であり、第１の微細画線群（４）は、図２（ｂ）に示す複数の第１の潜像微細画線（６）と、図２（ｃ）に示す複数の第１の背景微細画線（７）から成る。
【００２４】
第１の潜像微細画線（６）及び第１の背景微細画線（７）は、同一の方向性を持って配置された凹及び／又は凸形状の画線であり、ここでいう同一の方向性とは第１の潜像微細画線（６）及び第１の背景微細画線（７）の始点から終点へ向かう方向が全て同じ方向であることを指し、図２（ｂ）及び図２（ｃ）においてはＳ１方向のことを指す。
【００２５】
図２（ｂ）に示すように第１の潜像微細画線（６）は、Ｓ１方向という同一の方向性を持ってＳ１方向及びＳ２方向に複数配置され、点線で囲まれている第１の潜像部（８）を形成している。なお、点線は説明の便宜上示しているものであり、実際に形成されているものではない。
【００２６】
同様に図２（ｃ）に示すように第１の背景微細画線（７）は、点線で囲まれている第１の背景部（９）を形成している。
【００２７】
また、第１の潜像部（８）と第１の背景部（９）にて第１の潜像模様（図示せず）を形成しており、ここでいう第１の潜像模様はアラビア数字の１である。
【００２８】
図３（ａ）及び図３（ｂ）は、第１の潜像微細画線（６）及び第１の背景微細画線（７）のそれぞれの配列状態を示したものである。
【００２９】
第１の潜像微細画線（６）及び第１の背景微細画線（７）の画線幅は、ともにＷ１であり、始点から終点へ向かってＳ１方向に伸びている。また、第１の潜像微細画線（６）及び第１の背景微細画線（７）ともにＳ１方向にピッチがＰ１、Ｓ２方向にピッチがＰ２で複数配列されている。
【００３０】
ここでは第１の潜像微細画線（６）及び第１の背景微細画線（７）の画線幅を全て同じとした例で説明したが、第１の潜像微細画線（６）及び第１の背景微細画線（７）の中に画線幅が異なるものがあってもよい。
【００３１】
ただし、画線幅が異なると画線からの反射光量及び／又は透過光量に差が発生し、観察される第１の潜像部（８）及び第１の背景部（９）の中で明暗差が生じるため、全て同じ画線幅であることが好ましい。
【００３２】
また、画線幅は５〜５００μｍ、画線深さ又は高さは０．５〜５００μｍが望ましい。本発明における複数潜像を有する画像形成体（１）は、画線に当たる光の反射光量により生じる明暗の差により潜像模様を出現させるものであるので、画線の傾斜角度、画線幅及び／又は画線深さを変化させると、画線に入射する光に対して反射及び／又は透過する光の方向が変化することになり、観察者（１１）が入射する光に対して反射及び／又は透過する光を捉えることができる限界として、画線幅は５μｍ、画線深さは０．５μｍとしている。
【００３３】
また、画線幅の上限については、肉眼にて画線が視認できない範囲を５００μｍとしているが、最適な範囲は複数潜像を有する画像形成体（１）を付与できる面積の大きさによって変動する。銀行券や商品券といった人が手に持って観察する製品に複数潜像を有する画像形成体（１）を付与する場合であれば、付与できる面積がある程度制限されることから画線幅は１００μｍ以下とすることが好ましい。一方、ポスターなど付与できる面積が大きなものであれば、画線幅は５００μｍ以下とすることが好ましい。
【００３４】
第１の微細画線群（４）の断面形状と視認原理について図４及び図５を用いて説明する。図４は第１の潜像微細画線（６）と第１の背景微細画線（７）の断面形状を示した図である。ここで、図４（ａ）は第１の潜像微細画線（６）を示した図であり、図４（ａ）中のＸ−Ｘ’線の断面図を示したものが図４（ｂ）であり、図４（ｂ）における第１の潜像微細画線（６）は、断面形状の傾斜角度としてαを有している。また、図４（ｃ）は第１の背景微細画線（７）を示した図であり、図４（ｃ）中のＹ−Ｙ’線の断面図を示したものが図４（ｄ）であり、図４（ｄ）における第１の背景微細画線（７）は、断面形状の傾斜角度としてβを有している。
【００３５】
第１の潜像微細画線（６）と第１の背景微細画線（７）は、画線が微細であるため、拡散反射光下では反射光量及び／又は透過光量に大きな差は生じない。しかし、前述のとおり断面の傾斜角度が異なることから、反射光下及び／又は透過光下で観察した際には、第１の潜像微細画線（６）と第１の背景微細画線（７）にて光を反射及び／又は透過する面積及び方向が異なり、反射光量及び／又は透過光量に差が生じる。なお、ここでは断面形状が直線の例で示したが、断面形状の傾斜角度の違いにより反射光量及び／又は透過光量に差が生じる構成であれば、断面形状を曲線とすることも可能である。
【００３６】
次に、図５（ａ）に示す第１の微細画線群（４）を、図５（ｂ）に示すように光源（１０）からの拡散反射光が支配的な角度で観察者（１１）が観察すると、第１の潜像微細画線（６）と第１の背景微細画線（７）からの反射光量に大きな差はないため、図５（ｃ）に示すように特に模様は視認されない。
【００３７】
一方、第１の微細画線群（４）が有する同一の方向性であるＳ１方向と直行するＳ２方向にて、光源（１０）からの正反射光が支配的な角度及び／又は透過光下にて観察者（１１）が観察すると、第１の潜像微細画線（６）と第１の背景微細画線（７）からの反射光量及び／又は透過光量に差が生じるため、第１の潜像部（８）と第１の背景部（９）にて明暗差が生じ、図５（ｄ）に示すように第１の潜像模様（１００）が視認される。
【００３８】
第１の潜像微細画線（６）は、断面形状の傾斜角度が全て同じであることが好ましい。前述のとおり断面形状の傾斜角度が異なると、反射光量及び／又は透過光量に差が生じるため、第１の潜像微細画線（６）中に断面形状の傾斜角度が異なるものがあると、第１の潜像部（８）内にて明暗差が生じるためである。画線幅を同じとすることが好ましい理由も同様であり、断面形状の傾斜角度が同じでも画線幅が異なると観察角度によって反射面積に差が生じ、結果として反射光量及び／又は透過光量に差が生じるためである。同様の理由にて、第１の背景微細画線（７）は、断面形状の傾斜角度が全て同じであることが好ましい。
【００３９】
また、画線の断面形状の傾斜角度の違いにより生じる反射光量及び／又は透過光量の差を利用していることから、第１の潜像微細画線（６）と第１の背景微細画線（７）は、互いに重ならないように配置する必要がある。
【００４０】
次に、第２の微細画線群（５）について、図６を用いて説明する。図６（ａ）は第２の微細画線群（５）を示した図であり、図６（ｂ）に示す複数の第２の潜像微細画線（１２）と、図６（ｃ）に示す複数の第２の背景微細画線（１３）から成る。
【００４１】
第２の潜像微細画線（１２）及び第２の背景微細画線（１３）は、同一の方向性を有して配置された凹及び／又は凸形状の画線であり、図６（ｂ）及び図６（ｃ）ではＳ２方向のことを指す。図６（ｂ）に示すように第２の潜像微細画線（１２）は、Ｓ２方向という同一の方向性を有して、Ｓ１方向及びＳ２方向に複数配置され、第２の潜像部（１４）を形成している。同様に、図６（ｃ）に示すように第２の背景微細画線（１３）は、第２の背景部（１５）を形成している。
【００４２】
また、第２の潜像部（１４）と第２の背景部（１５）で第２の潜像模様（図示せず）を形成しており、ここでいう第２の潜像模様は、アラビア数字の２である。
【００４３】
図７（ａ）及び図７（ｂ）は、それぞれ第２の潜像微細画線（１２）及び第２の背景微細画線（１３）の配列状態を示したものである。第２の潜像微細画線（１２）及び第２の背景微細画線（１３）ともに幅はＷ１であり、始点から終点へ向かってＳ２方向に伸びている。また、第２の潜像微細画線（１２）及び第２の背景微細画線（１３）ともにＳ２方向にピッチがＰ３、Ｓ１方向にピッチがＰ４で複数配列されている。第２の潜像微細画線（１２）及び第２の背景微細画線（１３）の画線幅については、第１の潜像微細画線（６）及び第１の背景微細画線（７）と同様であるので説明は省略する。
【００４４】
図８は、第２の潜像微細画線（１２）及び第２の背景微細画線（１３）の断面形状の傾斜角度を示した図である。また、図９は、第２の潜像模様（２００）の視認原理を示した図であるが、原理は第１の潜像模様（１００）と同様であるので省略する。
【００４５】
なお、ここで第２の潜像微細画線（１２）の断面形状の傾斜角度は、第１の潜像微細画線（６）の断面形状の傾斜角度と同じα、第２の背景微細画線（１３）の断面形状の傾斜角度は、第１の背景微細画線（７）の断面形状の傾斜角度と同じβとしたが、第２の潜像微細画線（１２）と第２の背景微細画線（１３）の断面形状の傾斜角度が異なっていれば第１の潜像微細画線（６）と第２の潜像微細画線（１２）の断面形状の傾斜角度は同じであっても異なっていてもよい。第１の背景微細画線（７）と第２の背景微細画線（１３）の断面形状の傾斜角度も同様に同じであっても異なっていてもよい。
【００４６】
図１０（ａ）に第１の微細画線群（４）と第２の微細画線群（５）を基材（２）上に形成した複数潜像を有する画像形成体（１）を示す。この複数潜像を有する画像形成体（１）をＳ１方向から反射光が支配的な角度及び／又は透過光下で観察すると、第１の潜像模様（１００）が視認できる。また、Ｓ２方向から反射光が支配的な角度及び／又は透過光下で観察すると、第２の潜像模様（２００）が視認できる。
【００４７】
ここでは、第１の潜像模様（１００）がアラビア数字の１、第２の潜像模様（２００）がアラビア数字の２として説明したが、あくまで一例であり、これに限定されるものではなく、潜像として表現したい図柄に合わせて画線の配置を適宜設計すればよい。
【００４８】
また、画線群の方向についても２方向に配置される例について説明したが、３方向以上の画線群を用いて形成することも可能である。画線群の数が増えるとそれに伴い潜像模様の数も増加する。
【００４９】
特許文献４の複数潜像を有する画像形成体（１）を構成する基材（２）としては、少なくとも光反射性を有する必要があり、光反射性を有していない場合は、画線の断面の傾斜角度の差を保持するように基材（２）上に光反射層を付与する必要がある。また、基材が光透過性をも有している場合は前述した透過光下での観察も可能となる。
【００５０】
特許文献４の複数潜像を有する画像形成体（１）において、第１の微細画線群（４）及び第２の微細画線群（５）の作成方法としては、直接加工する方法、加工した物を原版として型取り（転写）する方法、印刷による方法、他の工程で形成した画線部を基材に貼り付ける方法などがあり、画線を形成できるものであれば形成方法は特に限定されない。直接加工する方法としては、機械彫刻、レーザ彫刻といった各種彫刻方法又はエンボスによるものがあり、転写方法としては、射出成型、ナノインプリントといった各種型取り方法により成型される。また、成型物が光反射性を有していない場合、加工前及び／又は加工後に断面の傾斜角度の差を保持するように、オフセット印刷方式、スパッタリング法などにより、光反射層を付与する。
【００５１】
以上が本発明の基本となる構成及び原理である。続いて、本発明の複数潜像を有する画像形成体（１’）について説明する。
【００５２】
（実施の形態１）
前述の基本となる構成に加え、さらに、画像領域（３’）を形成する第１の微細画線群（４’）及び第２の微細画線群（５’）によって有意情報（１６）を形成したものである。
【００５３】
図１１に有意情報（１６）を形成した画像形成体を示す。図１１（ａ）に示す画像形成体（１’）は、図１１（ｂ）に示す第１の微細画線群（４’）と第２の微細画線群（５’）から成る。
【００５４】
図１１（ｄ）は画像領域（３’）の一部を拡大した図であり、第１の微細画線群（４’）と第２の微細画線群（５’）により有意情報（１６）であるアルファベットのＨが形成されており、詳細には第１の潜像微細画線（６’）及び／又は第１の背景微細画線（７’）と第２の潜像微細画線（１２’）と第２の背景微細画線（１３’）にて有意情報（１６）を形成している。この有意情報（１６）を形成する第１の潜像微細画線（６’）、第１の背景微細画線（７’）、第２の潜像微細画線（１２’）及び第２の背景微細画線（１３’）はいずれも微細な画線幅であることから肉眼では視認し難く、形成される有意情報（１６）も肉眼では視認し難いものとなっている。
【００５５】
また、有意情報（１６）は肉眼では視認し難く、ルーペなど拡大鏡を使用した時に視認できることで真偽判別要素として活用できるため、有意情報（１６）の大きさは小さい方が効果は高まる。銀行券や商品券といった人が手に持って観察する製品に複数潜像を有する画像形成体（１’）を付与する場合、少なくとも有意情報（１６）の大きさは、垂直方向の最大長さ（Ｔ１）及び水平方向の最大長さ（Ｌ１）を１，２００μｍ以下とすることが真偽判別要素として活用するためには好ましい。
【００５６】
次に、図１２（ａ）に第１の微細画線群（４’）の配列状態を示し、図１２（ｂ）に第１の潜像微細画線（６’）の配列状態、そして、図１２（ｃ）に第１の背景微細画線（７’）の配列状態を示す。ここで、第１の微細画線群（４’）で形成される第１の潜像模様はアルファベットのＴとした。
【００５７】
図１３（ａ）及び図１３（ｂ）は、第１の潜像微細画線（６’）及び第１の背景微細画線（７’）の配列状態を示したものである。
【００５８】
第１の潜像微細画線（６’）及び第１の背景微細画線（７’）ともに、画線幅はＷ１０であり、始点から終点へ向かってＳ１０方向に伸びている。また、第１の潜像微細画線（６’）及び第１の背景微細画線（７’）ともにＳ１０方向にピッチがＰ１０、Ｓ２０方向にピッチがＰ２０で複数配列されている。
【００５９】
図１４は、第１の潜像微細画線（６’）と第１の背景微細画線（７’）の断面形状を示した図である。ここで、図１４（ａ）は第１の潜像微細画線（６’）を示した図であり、図１４（ａ）中のＸ−Ｘ’線の断面図を示したものが図１４（ｂ）であり、図１４（ｂ）における第１の潜像微細画線（６’）は、断面形状の傾斜角度としてα’を有している。また、図１４（ｃ）は第１の背景微細画線（７’）を示した図であり、図１４（ｃ）中のＹ−Ｙ’線の断面図を示したものが図１４（ｄ）であり、図１４（ｄ）における第１の背景微細画線（７’）は、断面形状の傾斜角度としてβ’を有している。
【００６０】
次に、図１５（ａ）に第２の微細画線群（５’）の配列状態を示し、図１５（ｂ）に第２の潜像微細画線（１２’）の配列状態、そして、図１５（ｃ）に第１の背景微細画線（１３’）の配列状態を示す。ここで、第２の微細画線群（５’）で形成される第２の潜像模様はアルファベットのＥとした。
【００６１】
図１６（ａ）及び図１６（ｂ）は、第２の潜像微細画線（１２’）及び第２の背景微細画線（１３’）の配列状態を示したものである。
【００６２】
第２の潜像微細画線（１２’）及び第２の背景微細画線（１３’）ともに画線幅はＷ１０であり、始点から終点へ向かってＳ２０方向に伸びている。また、第２の潜像微細画線（１２’）及び第２の背景微細画線（１３’）ともにＳ２０方向にピッチがＰ３０、Ｓ１０方向にピッチがＰ４０で複数配列されている。ここで、図１７は第２の潜像微細画線（１２’）と第２の背景微細画線（１３’）の断面形状を示した図である。
【００６３】
図１７（ａ）は第２の潜像微細画線（１２’）を示した図であり、図１７（ａ）中のＸ−Ｘ’線の断面図を示したものが図１７（ｂ）であり、図１７（ｂ）における第２の潜像微細画線（１２’）は、断面形状の傾斜角度としてα’を有している。また、図１７（ｃ）は第２の背景微細画線（１３’）を示した図であり、図１７（ｃ）中のＹ−Ｙ’線の断面図を示したものが図１７（ｄ）であり、図１７（ｄ）における第２の背景微細画線（１３’）は、断面形状の傾斜角度としてβ’を有している。
【００６４】
次に、図１８は複数潜像を有する画像形成体（１’）を観察した時の図であり、この複数潜像を有する画像形成体（１’）をＳ１０方向から反射光が支配的な角度及び／又は透過光下で観察すると、第１の潜像模様（１００’）であるアルファベットのＴが視認できる。また、Ｓ２０方向から反射光が支配的な角度及び／又は透過光下で観察すると、第２の潜像模様（２００’）であるアルファベットのＥが視認できる。
【００６５】
本実施の形態では、第１の微細画線群（４’）と第２の微細画線群（５’）により、複数の有意情報（１６）が形成される例で説明したが、必ずしも複数の有意情報（１６）を形成する必要はなく、例えば、図１９に示すように画像領域（３’）中に一つだけ有意情報（１６）を形成した場合においても真偽判別要素として機能するため、少なくとも一つ以上の有意情報（１６）が形成されていればよい。
【００６６】
ここまで、本実施例では２方向の微細画線群にて構成する例を説明してきたが、当然、３方向以上の微細画線群にて構成することも可能である。
【００６７】
図２０に３方向以上の微細画線群にて形成される有意情報（１６）の例を示す。図２０（ａ）に示す四角の中にバツ印といった有意情報（１６）は、４方向の微細画線群にて形成されている。また、図２０（ｂ）に示す星型の有意情報（１６）は、５方向の微細画線群にて形成されている。これらは有意情報（１６）の一例であり、形成したい有意情報（１６）に応じて微細画線群の数及び配列される方向を適宜設計すればよい。
【００６８】
また、３方向以上の微細画線群で有意情報（１６）を形成する時に、微細画線群の中に有意情報（１６）を形成しない微細画線群を備える構成も可能である。
【００６９】
実施の形態１の複数潜像を有する画像形成体（１’）を構成する基材は、段落（００４９）に記載の特許文献４の基材と同様の基材を用いればよい。
【００７０】
また、実施の形態１の複数潜像を有する画像形成体（１’）の第１の微細画線群（４）及び第２の微細画線群（５）の作成方法としては、段落（００５０）に記載の特許文献４と同様の作成方法を用いればよい。
【００７１】
（実施の形態２）
実施の形態１は同じ有意情報（１６）を少なくとも一つ形成する形態であるが、別の実施の形態として、微細画線群で構成される有意情報（１６）を複数形成した中に、他の有意情報（１６）とは向きや位相などが異なるものを含む形態について以下に説明する。
【００７２】
図２１（ａ）は前述した第１の実施の形態の複数潜像を有する画像形成体（１’）であり、５つの微細画線群で複数の星型の有意情報（１６）を規則的に形成した例である。この星型の有意情報（１６）は、図２１（ｂ）に示すＳ１３方向に同一の方向性を有して配列される第１の微細画線群（４’）、図２１（ｃ）に示すＳ２３方向に同一の方向性を有して配列される第２の微細画線群（５’）、図２１（ｄ）に示すＳ３３方向に同一の方向性を有して配列される第３の微細画線群（１７）、図２１（ｅ）に示すＳ４３方向に同一の方向性を有して配列される第４の微細画線群（１８）及び図２１（ｆ）に示すＳ５３方向に同一の方向性を有して配列される第５の微細画線群（１９）にて構成される。
【００７３】
ここでは、第１から第５までの微細画線群における第１から第５までの潜像部及び第１から第５までの背景部について記載していないが、視認させたい潜像模様に応じて第１から第５までの潜像微細画線と第１から第５までの背景微細画線の位置を適宜設計すればよいため説明は省略し、第１から第５までの画線群は各々第１から第５までの潜像模様を形成しているものとする。
【００７４】
図２２（ａ）は、第２の実施の形態の一例であり、図２１（ａ）と同じように第１から第５までの微細画線群により複数の星型の有意情報（１６）を規則的に形成しているが、図中の点線で示す部分に形成されている有意情報（１６）は、他の有意情報を１８０度回転した配列となっている。これを第１から第５までの微細画線群ごとに示した図が図２２（ｂ）から図２２（ｆ）までであり、各々、図中点線で示した画線が図２２（ａ）において１８０度反転した星型の有意情報（１６）を形成している画線である。
【００７５】
図２２（ｂ）から図２２（ｆ）までの点線で囲まれる画線は、他の画線と異なる位相で配列しているが、同一の方向性を有している。本発明において重要なことは、一つの微細画線群内に配置される画線が全て同一の方向性を有して配列されることであり、その点加味した配列設計とすると十分な効果が得られる。ただし、位相をずらした画線を含んだ場合には潜像模様を視認する時に、模様内での明暗差が生じることから、その点、考慮した画線構成とする必要がある。
【００７６】
図２３（ａ）は、規則的に形成された複数の有意情報の中に配列されるピッチが異なる有意情報（１６）を形成した例であり、図２３（ｂ）から図２３（ｆ）までに示すように、第１から第５までの微細画線群は、各々の微細画線群内において同一の方向性を有して画線が配列される。
【００７７】
図２４（ａ）は、規則的に形成された複数の有意情報の中に一部形状の異なる有意情報（１６）を形成した例であり、点線で囲まれた有意情報（１６）は、他の有意情報とは一部形状が異なっているが、図２４（ｂ）から図２４（ｆ）までに示すように第１から第５までの微細画線群は、各々の微細画線群内において同一の方向性を有して画線が配列されている。
【００７８】
図２５（ａ）は、規則的に形成された複数の有意情報の中に形状の異なる有意情報（１６）を形成した例であり、点線で囲まれた有意情報（１６）は丸型となっており、他の星型の有意情報とは形状が異なっているが、図２５（ｂ）から図２５（ｆ）までに示すように第１から第５までの微細画線群は、各々の微細画線群内において同一の方向性を有して画線が配列されている。このように有意情報を形成する各々の微細画線群の配列される方向性が同じであれば、それらの配置を組み替えることで異なる有意情報を形成することも可能となる。
【００７９】
ここまで、星型と丸型といった形状の異なる例で説明したが、大きさの異なる相似形状の形で構成することも可能である。また、本実施の形態では星型の有意情報（１６）を基本としてその一部を回転させることや、変形させる例で説明したが、有意情報（１６）を形成する各々の微細画線群内で同一の方向性を有して画線が配列されれば、有意情報（１６）は星型以外の形状にて形成してもよく、変形や回転等も適宜設計の範囲内である。また、それぞれを組み合わせることも可能である。
【００８０】
本実施の形態の複数潜像を有する画像形成体は、実施の形態１の複数潜像を有する画像形成体のように拡大鏡などで観察した時に有意情報が視認できるといった効果に加え、有意情報の中に配置の角度や位相又は形状等の異なるものが含まれることで、更なる偽造防止効果及び真偽判別効果を付与することが可能となる。
【符号の説明】
【００８１】
１、１’      複数潜像を有する画像形成体
２、２’      基材
３、３’      画像領域
４、４’      第１の微細画線群
５、５’      第２の微細画線群
６、６’      第１の潜像微細画線
７、７’      第１の背景微細画線
８、８’      第１の潜像部
９、９’      第１の背景部
１０            光源
１１            観察者
１２、１２’    第２の潜像微細画線
１３、１３’    第２の背景微細画線
１４、１４’    第２の潜像部
１５、１５’    第２の背景部
１６            有意情報
１７            第３の微細画線群
１８            第４の微細画線群
１９            第５の微細画線群
１００、１００’  第１の潜像模様
２００、２００’  第２の潜像模様
Ｐ１、Ｐ２、Ｐ３、Ｐ４、Ｐ１０、Ｐ２０、Ｐ３０、Ｐ４０    ピッチ
Ｗ１、Ｗ１０    画線幅
Ｌ１            水平方向の最大長さ
Ｔ１            垂直方向の最大長さ
α、β、α’、β’    傾斜角度
Ｓ１、Ｓ１０、Ｓ１１、Ｓ１２、Ｓ１３、Ｓ２、Ｓ２０、Ｓ２１、Ｓ２２、Ｓ２３、Ｓ３１、Ｓ３２、Ｓ３３、Ｓ４１、Ｓ４２、Ｓ４３、Ｓ５２、Ｓ５３    方向
【図１】
2020157508.tif 000003
【図２】
2020157508.tif 000004
【図３】
2020157508.tif 000005
【図４】
2020157508.tif 000006
【図５】
2020157508.tif 000007
【図６】
2020157508.tif 000008
【図７】
2020157508.tif 000009
【図８】
2020157508.tif 000010
【図９】
2020157508.tif 000011
【図１０】
2020157508.tif 000012
【図１１】
2020157508.tif 000013
【図１２】
2020157508.tif 000014
【図１３】
2020157508.tif 000015
【図１４】
2020157508.tif 000016
【図１５】
2020157508.tif 000017
【図１６】
2020157508.tif 000018
【図１７】
2020157508.tif 000019
【図１８】
2020157508.tif 000020
【図１９】
2020157508.tif 000021
【図２０】
2020157508.tif 000022
【図２１】
2020157508.tif 000023
【図２２】
2020157508.tif 000024
【図２３】
2020157508.tif 000025
【図２４】
2020157508.tif 000026
【図２５】
2020157508.tif 000027